(57)【要約】実施形態は、ユーザのプロファイルに関係するイベント基準に基づいて、移動体デバイス上でのコンテンツアイテムの表示をアクティブ化する方法およびシステムを含む。例えば、１つの実施形態は、移動体デバイス上でのマルチメディアデータの受信をアクティブ化する方法を含む。方法は、複数のブロードキャストのうちの１つの少なくとも一部で識別されたメタデータを受信することと、ユーザのプロファイルに関係するイベント基準を満たすイベントメタデータをその部分が含むか否かを、ブロードキャストコンテンツの一部で識別されたメタデータに基づいて決定することと、ブロードキャストの一部の受信のために、ブロードキャストに同調するようにユーザの移動体デバイスの受信機に命令することとを含む。【選択図】    図１
2011517877.tif 000002
【特許請求の範囲】
【請求項１】
移動体デバイス上でマルチメディアデータを受信する方法において、
ブロードキャストコンテンツを受信することと、
ユーザに関係するイベント基準を満たす少なくとも１つのイベントメタデータを含む、コンテンツアイテムのブロードキャストを識別することと、
前記少なくとも１つのイベントメタデータを含む前記ブロードキャストの特定部分の受信時に、前記移動体デバイスの受信機を前記ブロードキャストに同調させることと、
少なくとも、前記受信したブロードキャストの前記特定部分を出力することとを含み、
前記ブロードキャストコンテンツは、前記ブロードキャストコンテンツ中のイベントを規定するメタデータで識別される方法。
【請求項２】
イベントを規定する前記メタデータを受信することをさらに含む請求項１記載の方法。
【請求項３】
前記受信することは、前記ブロードキャストコンテンツのブロードキャスト中に実行される請求項２記載の方法。
【請求項４】
前記ブロードキャストを識別することは、前記受信したメタデータを、前記ユーザのプロファイルと比較することを含み、
前記プロファイルは、前記イベント基準を含む請求項２記載の方法。
【請求項５】
前記メタデータを受信することは、前記移動体デバイス上で前記メタデータを受信することを含み、前記識別することは、前記移動体デバイスによって実行される請求項１記載の方法。
【請求項６】
前記メタデータを受信することは、前記メタデータをサーバ上で受信することを含み、前記比較することは、前記サーバによって実行される請求項４記載の方法。
【請求項７】
前記メタデータは、前記コンテンツの前記特定部分に関係する少なくとも１つのカテゴリーを含む請求項１記載の方法。
【請求項８】
前記ブロードキャストを出力することを続けるか否かを示すユーザ入力を受け取ることをさらに含む請求項１記載の方法。
【請求項９】
前記ユーザ入力に基づいて、前記コンテンツの出力を中止することをさらに含む請求項８記載の方法。
【請求項１０】
前記ユーザ入力を受け取ることは、前記移動体デバイスの動きを感知することを含む請求項８記載の方法。
【請求項１１】
前記ユーザ入力を受け取ることは、タッチスクリーン対話またはキー押下のうちの少なくとも１つを受け取ることを含む請求項８記載の方法。
【請求項１２】
ユーザ入力の欠如に基づいて、前記コンテンツの前記出力を中止することをさらに含む請求項１記載の方法。
【請求項１３】
前記ユーザ入力の欠如に基づいて、コンテンツの出力を中止することは、選択された時間期間内でのユーザ入力の欠如に基づいている請求項１２記載の方法。
【請求項１４】
前記受信したコンテンツを出力することは、前記受信したコンテンツを再生することを含む請求項１記載の方法。
【請求項１５】
前記受信したコンテンツを再生することは、
前記受信したコンテンツをデコードすることと、
ディスプレイおよびスピーカのうちの少なくとも１つを通して、前記デコードしたコンテンツを出力することとを含む請求項１４記載の方法。
【請求項１６】
前記受信したコンテンツを出力することは、前記移動体デバイスに電気的に取り付けられている記憶装置に対して、前記受信したコンテンツを出力することを含む請求項１記載の方法。
【請求項１７】
前記移動体デバイスで上での再生のために、前記受信したコンテンツが利用可能であるとの通知を提供することをさらに含む請求項１６記載の方法。
【請求項１８】
前記通知は、情報を表示することと、サウンドを出力することとのうちの少なくとも１つを含む請求項１７記載の方法。
【請求項１９】
移動体デバイス上でのマルチメディアデータの受信をアクティブ化する方法において、
複数のブロードキャストのうちの１つの少なくとも一部で識別されたメタデータを受信することと、
ユーザのプロファイルに関係するイベント基準を満たす少なくとも１つのイベントメタデータをその一部が含むか否かを、前記ブロードキャストコンテンツの一部で識別された前記メタデータに基づいて決定することと、
前記ブロードキャストの一部の受信のために、前記ブロードキャストに同調するように前記ユーザの移動体デバイスの受信機に命令することとを含む方法。
【請求項２０】
前記受信すること、および、前記決定することは、前記ブロードキャストコンテンツの前記ブロードキャスト中に実行される請求項１９記載の方法。
【請求項２１】
前記決定することは、前記メタデータを、前記ユーザのプロファイルに関係する前記イベント基準と比較することを含む請求項１９記載の方法。
【請求項２２】
前記移動体デバイス上での再生のために、前記受信したコンテンツが利用可能であるとの通知を提供するように前記移動体デバイスに命令することをさらに含む請求項１９記載の方法。
【請求項２３】
前記メタデータは、前記コンテンツの一部に関係する少なくとも１つのカテゴリーを含む請求項１９記載の方法。
【請求項２４】
ユーザプロファイルのデータベースからの、前記ユーザのプロファイルにアクセスすることをさらに含む請求項２３記載の方法。
【請求項２５】
コンテンツアイテムにアクセスするためのデバイスにおいて、
ブロードキャストコンテンツを受信するように構成されている受信機と、
マルチメディアコンテンツアイテムにアクセスするために、少なくとも１つのプロファイルを記憶するように構成されている記憶装置と、
プロセッサとを具備し、
前記プロセッサは、
ユーザに関係するイベント基準を満たす少なくとも１つのイベントメタデータを含む、コンテンツアイテムのブロードキャストを識別し、
前記少なくとも１つのイベントメタデータを含む前記ブロードキャストの特定部分の受信時に、前記受信機を前記ブロードキャストに同調させ、
少なくとも、前記受信したブロードキャストの前記特定部分を出力するように構成され、
前記ブロードキャストコンテンツは、前記ブロードキャストコンテンツ中のイベントを規定するメタデータで識別されるデバイス。
【請求項２６】
前記受信機は、イベントを規定する前記メタデータを受信するようにさらに構成されている請求項２５記載のデバイス。
【請求項２７】
前記受信機は、前記ブロードキャストコンテンツのブロードキャスト中に、前記メタデータを受信するように構成されている請求項２５記載のデバイス。
【請求項２８】
前記プロセッサは、前記受信したメタデータを、前記ユーザのプロファイルと比較するように構成され、前記プロファイルは、前記イベント基準を含む請求項２７記載のデバイス。
【請求項２９】
前記メタデータは、前記コンテンツの前記特定部分に関係する少なくとも１つのカテゴリーを含む請求項２５記載のデバイス。
【請求項３０】
前記ブロードキャストを出力することを続けるか否かを示すユーザ入力を受け取るように構成されている少なくとも１つの入力デバイスをさらに具備する請求項２５記載のデバイス。
【請求項３１】
前記プロセッサは、前記ユーザ入力に基づいて、前記コンテンツの出力を中止するように構成されている請求項３０記載のデバイス。
【請求項３２】
前記入力デバイスは、前記デバイスの動きを感知するように構成されている請求項３０記載のデバイス。
【請求項３３】
前記入力デバイスは、タッチスクリーン対話またはキーのうちの少なくとも１つを含む請求項３０記載のデバイス。
【請求項３４】
前記プロセッサは、ユーザ入力の欠如に基づいて、前記コンテンツの出力を中止するようにさらに構成されている請求項２５記載のデバイス。
【請求項３５】
前記プロセッサは、選択された時間期間内でのユーザ入力の欠如に基づいて、前記ユーザ入力の欠如を識別するように構成されている請求項３４記載のデバイス。
【請求項３６】
前記プロセッサは、
前記ブロードキャストの前記特定部分をデコードし、
ディスプレイおよびスピーカのうちの少なくとも１つを通して、前記デコードした部分を出力するようにさらに構成されている請求項２５記載のデバイス。
【請求項３７】
前記プロセッサは、前記記憶装置に対して、前記ブロードキャストの前記特定部分を出力するように構成され、前記記憶装置は、前記出力部分を記憶するように構成されている請求項２５記載のデバイス。
【請求項３８】
前記プロセッサは、前記移動体デバイスで上での再生のために、前記記憶した部分が利用可能であるとの通知を提供するように構成されている請求項３７記載のデバイス。
【請求項３９】
前記プロセッサは、情報を表示することと、サウンドを出力することとのうちの少なくとも１つによる通知を提供するように構成されている請求項３８記載のデバイス。
【請求項４０】
コンテンツアイテムにアクセスするデバイスにおいて、
ブロードキャストコンテンツを受信する手段と、
マルチメディアコンテンツアイテムにアクセスするために、少なくとも１つのプロファイルを記憶する手段と、
処理する手段とを具備し、
前記処理する手段は、
ユーザに関係するイベント基準を満たす少なくとも１つのイベントメタデータを含む、コンテンツアイテムのブロードキャストを識別し、
前記少なくとも１つのイベントメタデータを含む前記ブロードキャストの特定部分の受信時に、前記受信する手段を前記ブロードキャストに同調させ、
少なくとも、前記受信したブロードキャストの前記特定部分を出力するように構成され、
前記ブロードキャストコンテンツは、前記ブロードキャストコンテンツ中のイベントを規定するメタデータで識別されるデバイス。
【請求項４１】
前記ブロードキャストの前記出力部分をレンダリングする手段をさらに具備する請求項４０記載のデバイス。
【請求項４２】
コンピュータ番組プロダクトにおいて、
ブロードキャストコンテンツを受信するために、移動体デバイスの少なくとも１つのプロセッサによって実行可能なコードと、
ユーザに関係するイベント基準を満たす少なくとも１つのイベントメタデータを含む、コンテンツアイテムのブロードキャストを識別するために、移動体デバイスの少なくとも１つのプロセッサによって実行可能なコードと、
前記少なくとも１つのイベントメタデータを含む前記ブロードキャストの特定部分の受信時に、前記移動体デバイスの受信機を前記ブロードキャストに同調させるために、移動体デバイスの少なくとも１つのプロセッサによって実行可能なコードと、
少なくとも、前記受信したブロードキャストの前記特定部分を出力するために、移動体デバイスの少なくとも１つのプロセッサによって実行可能なコードとを含むコンピュータ読み取り可能媒体を含み、
前記ブロードキャストコンテンツは、前記ブロードキャストコンテンツ中のイベントを規定するメタデータで識別されるコンピュータ番組プロダクト。
【請求項４３】
コンピュータ番組プロダクトにおいて、
複数のブロードキャストのうちの１つの少なくとも一部で識別されたメタデータを受信するために、移動体デバイスの少なくとも１つのプロセッサによって実行可能なコードと、
ユーザのプロファイルに関係するイベント基準を満たす少なくとも１つのイベントメタデータをその一部が含むか否かを、前記ブロードキャストコンテンツの一部で識別された前記メタデータに基づいて決定するために、移動体デバイスの少なくとも１つのプロセッサによって実行可能なコードと、
前記ブロードキャストの一部の受信のために、前記ブロードキャストに同調するように前記ユーザの移動体デバイスの受信機に命令するために、移動体デバイスの少なくとも１つのプロセッサによって実行可能なコードとを含むコンピュータ読み取り可能媒体を含むコンピュータ番組プロダクト。
【発明の詳細な説明】
【関連出願】
【０００１】
本出願は、一般的に、通信に関する。さらに詳細に説明すると、本出願は、マルチメディアデータの通信に関する。
【背景】
【０００２】
移動体電話機ハンドセットや、他の移動体デバイスのような電子デバイスは、スポーツ、エンターテイメント、情報番組、または他のマルチメディアコンテンツアイテムのブロードキャストを受信するように構成されているかもしれない。電子デバイスへのブロードバンドブロードキャスト通信リンクを使用して、例えば、オーディオおよび／またはビデオデータが通信されるかもしれない。このデバイス上での向上した鑑賞経験を人に提供する必要がある。
【概要】
【０００３】
本発明のシステム、方法、およびデバイスには、それぞれ、いくつかの態様があり、これらの態様のうちの単一のものだけが、その好ましい属性を担っているものではない。後続する特許請求の範囲によって表現したような本発明の範囲に限定しないで、この、より顕著な特徴をこれから簡単に説明する。この説明を考慮した後、特に、「いくつかの実施形態の詳細な説明」と題するセクションを読んだ後、ブロードキャスト中に、ブロードキャストコンテンツの特定部分をユーザにアラートする方法を提供することを含む、カスタマイズされたマルチメディアアクセスを提供する向上したユーザインターフェースを含む利点を本発明の特徴がどのように提供するかを、人は理解するだろう。
【図面の簡単な説明】
【０００４】
【図１】図１は、ブロードキャスト番組を提供する例示的なシステムを図示しているブロック図である。
【図２】図２は、図１に図示したような移動体デバイスの例を図示しているブロック図である。
【図３】図３は、図２のデバイス上での表示のためのユーザインターフェースの例を図示している。
【図４】図４は、図１に図示したようなシステムにおいて、ブロードキャストコンテンツにアクセスする方法の例を図示しているフローチャートである。
【図５】図５は、図１に図示したようなシステムにおいて、ブロードキャストコンテンツにアクセスする方法の別の例を図示しているフローチャートである。
【詳細な説明】
【０００５】
以下の詳細な説明は、本発明のいくつかの特定の態様に向けられている。しかしながら、本発明は、例えば、特許請求の範囲によって規定およびカバーしたような多数の異なる方法で具現化できる。ここでの態様を、幅広いさまざまな形態で具現化してもよいことや、ここで開示している任意の特定の構成、機能、または双方のものは、単なる代表例であることは明らかである。ここでの教示に基づいて、ここで開示した態様は他の何らかの態様とは無関係に実現されてもよいことや、これらの態様のうちの２つ以上のものがさまざまな方法で組み合わせされてもよいことを、当業者は正しく認識すべきである。例えば、ここで述べた任意の数の態様を使用して、装置を実現しても、または、方法を実施してもよい。さらに、ここで述べた態様のうちの１つ以上の態様に加えて、または、これとは異なる構成および機能性、あるいは他の構成、機能性を使用して、このような装置を実現しても、または、このような方法を実施してもよい。
【０００６】
マルチメディア通信技術により、ビデオまたは他の番組をユーザが受信することが可能になる。番組ガイドは、関心のあるコンテンツをユーザが識別および選択するための方法を提供する。しかしながら、番組ガイドは、一般的に、ブロードキャストされる実際のコンテンツに関する更新データを持たず、むしろコンテンツの一般的な記述を含んでいる。例えば、ブロードキャストの時間までにコンテンツが設定されていないかもしれないので、定期的にブロードキャストされるニュース番組は、一般的に、番組ガイド中に、そのニュースのコンテンツの詳細な記述を含めない。同様に、スケジューリングされていないブロードキャストは、番組ガイド中に含めるための時間までには識別できなかった特定のコンテンツを含んでいるかもしれない。さらに、番組ガイドが特定のコンテンツの詳細を含んでいる場合でも、ブロードキャスト内のこのようなコンテンツのタイミングは、番組ガイド情報に基づいて識別可能でないかもしれない。例えば、ニュースショーは、番組ガイドエントリーを持っているかもしれないが、この番組ガイドエントリーは、カバーされるサブジェクトをリストアップするが、ブロードキャスト内のサブジェクトの特定の順序またはタイミングはリストアップしない。
【０００７】
１つの実施形態は、ユーザのプロファイルとマッチングするメタデータを有する、ブロードキャストコンテンツの一部をユーザにアラートする方法を提供し、１つの実施形態では、ユーザの移動体デバイスの受信機をブロードキャストの一部に同調させることが好ましい。実施形態を使用して、気象または他のニュース警報のような情報に対するアクセスをあるいは他の何らかのタイプのコンテンツに対するアクセスをユーザに提供できる。１つの実施形態では、コンテンツの一部に対応しているイベントを示すメタデータを、ユーザプロファイルとマッチングさせる。メタデータは、コンテンツアイテムの特定部分を識別する、コンテンツアイテム中のイベントについての情報を含んでいてもよい。さらに、番組ガイドによって提供されるものよりも、より詳細に規定されているイベント、中継イベント、またはスケジューリングされていないイベントを、さまざまなブロードキャストを常に監視することなく、ユーザは見ることができる。
【０００８】
したがって、１つの実施形態は、お気に入りトピックに関連するコンテンツアイテム（例えば、タイガーウッズに関連するすべてのニュースまたはスコアといった、特定のスポーツスターに関連するニュースまたはスコアや、選挙に先立って特定の政党のすべてのブロードキャストディベート）のブロードキャストをユーザが知り、そのコンテンツアイテムを見るまたは聴く方法を提供する。ニュースチャネルブロードキャストを常に監視するよりもむしろ、システムの１つの実施形態が、多数の異なるニュースチャネル上でコンテンツのマッチング部分を識別し、イベントがブロードキャストされるときに特定のチャネルに同調させるように、ユーザは、例えば、関心のある、特定のタイプのニュースイベントを識別するプロファイルを持っているかもしれない。
【０００９】
図１は、配布システム１１０を通して、１つ以上のコンテンツプロバイダ１１２から移動体デバイス１０２にブロードキャスト番組を提供する例示的なシステム１００を図示しているブロック図である。図１では１つの移動体デバイス１０２を示したが、システム１００の例は、任意の数の移動体デバイス１０２を使用するように構成されていてもよい。配布システム１１０は、コンテンツプロバイダ１１２から、マルチメディアコンテンツアイテムを表すデータを受信してもよい。マルチメディアコンテンツアイテムは、ワイヤードまたはワイヤレスコンテンツアイテム通信リンク１０８を通して通信されてもよい。１つの実施形態では、通信リンク１０８は、高速またはブロードバンドリンクである。１つの実施形態では、コンテンツプロバイダ１１２は、配布システム１１０をバイパスし、通信リンク１０８を通してまたは別のリンクを通して、移動体デバイス１０２に直接的にコンテンツを通信してもよい（図１では示していない）。他の実施形態では、複数のコンテンツプロバイダ１１２が、複数の配布システム１１０を通して、または、直接的に、移動体デバイス１０２にコンテンツアイテムを提供してもよいことを認識すべきである。
【００１０】
例示的なシステム１００では、図示したデバイス１０２のそれぞれに対する単方向ネットワークとして、コンテンツアイテム通信リンク１０８を図示した。しかしながら、コンテンツアイテム通信リンク１０８はまた、完全に対称的な双方向ネットワークであってもよい。
【００１１】
例示的なシステム１００では、移動体デバイス１０２はまた、第２の通信リンク１０６を通して通信するように構成されている。１つの実施形態では、第２の通信リンク１０６は二方向通信リンクである。しかしながら、例示的なシステム１００では、リンク１０６はまた、移動体デバイス１０２から、配布システム１１０および／またはコンテンツプロバイダ１１２への第２のリンクを含んでいてもよい。第２の通信リンク１０６はまた、音声トラフィックおよび／またはデータトラフィックを通信するように構成されているワイヤレスネットワークであってもよい。移動体デバイス１０２は、第２の通信リンク１０６を通して互いに通信するかもしれない。通信リンク１０６はまた、配布システム１１０と移動体デバイス１０２との間で、コンテンツアイテムガイドおよび他のデータを通信するかもしれない。
【００１２】
通信リンク１０６および１０８は、１つ以上のワイヤードおよび／またはワイヤレスリンクを含んでいてもよく、１つ以上のワイヤードおよび／またはワイヤレスリンクは、イーサネット（登録商標）や、電話機（例えば、ＰＯＴＳ）や、ケーブルや、電力線や、ファイバ光システムのうちの１つ以上を含み、ならびに／あるいは、コード分割多元接続（ＣＤＭＡまたはＣＤＭＡ２０００）通信システム、周波数分割多元接続（ＦＤＭＡ）システム、ＧＳＭ（登録商標）／ＧＰＲＳ（一般パケット無線サービス）／ＥＤＧＥ（拡張データＧＳＭ環境）のような時間分割多元接続（ＴＤＭＡ）システム、ＴＥＴＲＡ（地上基幹無線）移動体電話機システム、広帯域コード分割多元接続（ＷＣＤＭＡ）システム、高データレート（１ｘＥＶ−ＤＯまたは１ｘＥＶ−ＤＯゴールドマルチキャスト）システム、ＩＥＥＥ８０２．１１システム、メディアＦＬＯシステム、ＤＭＢシステム、直交周波数分割多元接続（ＯＦＤＭ）システム、またはＤＶＢ−Ｈシステムのうちの１つ以上を含むワイヤレスシステムを含む。
【００１３】
コンテンツを移動体デバイス１０２に通信することに加えて、配布システム１１０はまた、番組ガイドサービス１２６を備えていてもよい。番組ガイドサービス１２６は、コンテンツプロバイダ１１２および／または他のソースから番組スケジュールおよびコンテンツ関連データを受信し、電子番組ガイド（ＥＰＧ）１２４を規定するデータを移動体デバイス１０２に通信する。ＥＰＧ１２４は、番組通信リンク１０８を通して受信されて利用可能な特定のコンテンツアイテムの複数のブロードキャストのブロードキャストスケジュールに関連するデータを含んでいてもよい。ＥＰＧデータは、コンテンツアイテムのタイトル、特定のブロードキャストの開始および終了時間、番組のカテゴリー分類（例えば、スポーツ、映画、コメディー等）、品質評価、大人向けコンテンツ評価等を含んでいてもよい。ＥＰＧ１２４は、番組通信リンク１０８を通して移動体デバイス１０２に通信されて、移動体デバイス１０２上で記憶されてもよい。
【００１４】
１つの実施形態では、配布システム１１０は、コンテンツアイテムのすべてまたは一部中のイベントを規定するメタデータを提供するメタデータサービス１２７を備えている。例えば、メタデータサービス１２７は、コンテンツアイテムの一部におけるイベントを示すメタデータを提供してもよい。例えば、メタデータは、スポーツスコアのレポートや、気象レポートや、ニュースレポートのような、イベントの特定のクラスを示してもよい。ニュースレポートは、ビジネスまたは株ニュース、自然災害、カーチェイス、合法または犯罪ニュース、科学の進歩、政治ニュースまたはイベントのような、特定のタイプのイベントのレポートを含む。メタデータはまた、日中のメロドラマのようなシリーズ化された番組または他のシリーズ化されたコンテンツアイテムにおける、特定のイベントを示すデータを含んでいてもよい。メタデータはまた、コンテンツアイテムの一部に関連する特定のエンティティについての情報を含んでいてもよい。例えば、メタデータは、特定のスポーツ選手や、著名人や、政治家や、（例えば、企業の株ティッカーシンボルを含む）特定の企業についてのニュース、コンテンツアイテムに関係する特定の場所等を示していてもよい。１つの実施形態では、メタデータは、番組ガイドデータ、クローズドキャプショニングデータ、またはコンテンツに関係する他のデータのうちの１つ以上に基づいて自動的に発生される。１つの実施形態では、メタデータサービス１２７は、コンテンツアイテムとともに受信した情報中で、または、別の通信チャネルを通して、メタデータをまたはコンテンツアイテム中のイベントについての情報をコンテンツプロバイダ１１２から受信する。１つの実施形態では、コンテンツプロバイダは、例えば、ニュースショーのような関連コンテンツアイテムに関連して、メタデータサービスによってメタデータに変換される、気象警報または他の公衆向け警報を提供する。１つの実施形態では、メタデータサービス１２７は、コンテンツアイテムのレビューに基づいてデータを入力する一人以上の人間のオペレータからメタデータを受け取るかもしれない。実況コンテンツアイテムがブロードキャストされるとき、実況中継のためにレビューがメタデータを提供するかもしれない。
【００１５】
移動体デバイス１０２および配布システム１１０のうちの一方または双方が、（移動体デバイス１０２上の）ローカルプロファイルデータベース１２８および／または配布システム１１０上のサーバプロファイルデータベース１３０を備えていてもよい。プロファイルデータベース１２８および１３０は、イベントのユーザプロファイルを記憶し、イベントのユーザプロファイルは、特定の移動体デバイスのユーザにとって関心のあるイベントをメタデータから識別するための、１つ以上のトリガまたは基準を含んでいる。ユーザプロファイルは、特定のユーザに対する、論理ルールまたはヒューリスティック関連メタデータを含んでいてもよい。ユーザプロファイルは、移動体デバイス１０２のユーザインターフェーススクリーンを通して、または、例えば、配布システム１１０によって提供されるウェブページのような別のインターフェースを通して、ユーザによって提供されたコンテンツまたはイベントの選択に基づいていてもよい。ユーザプロファイルはまた、移動体デバイス１０２上でユーザによって以前に見られたコンテンツアイテムに基づいていてもよい。例えば、プロファイルは、頻繁に見たコンテンツアイテムまたは頻繁に見たコンテンツアイテムの一部にマッチングする、メタデータの重みまたは基準を含んでいてもよい。例えば、スポーツニュースを有するニュース番組の一部（例えば、スポーツとして、一部を識別するメタデータを有するコンテンツアイテム）をユーザが見る傾向がある場合、そのユーザに対するプロファイルはスポーツニュース関連メタデータの重みを増加させるかもしれない。１つの実施形態では、移動体デバイス１０２のメモリがリセットされた場合、または、ユーザが移動体デバイス１０２を切り替えた場合、ユーザのプロファイルが失なわれないように、サーバプロファイルデータベース１３０は、ユーザのプロファイルを、ユーザに関係する移動体デバイス１０２のうちの１つ以上と同期させるかもしれない。
【００１６】
１つの実施形態では、移動体デバイス１０２は、イベントマッチングモジュール１３２を備え、イベントマッチングモジュール１３２は、受信メタデータを処理して、受信メタデータを１つ以上のユーザプロファイルと比較し、あるいは、プロファイルデータベース１２８中のユーザプロファイルに基づいてメタデータを処理し、そして、マッチングコンテンツアイテムに同調するように移動体デバイス１０２に命令して、コンテンツアイテムを記憶（したがって記録）させ、またはそうでなければユーザにマッチングを通知する。１つの実施形態では、配布システム１１０は、プロファイルデータベース１３０からのプロファイルデータを使用して、配布システム１１０のサーバコンピュータにおいてマッチング機能を実行し、マッチングに基づいて移動体デバイス１０２に命令を提供するために、イベントマッチングサービス１３４を備えている。１つの実施形態は、移動体デバイスのイベントマッチングモジュール１３２と、サーバのイベントマッチングサービス１３４との両方を備えている。１つのこのような実施形態では、いくつかのタイプのメタデータまたはプロファイルデータが、サーバモジュール１３４上で処理され、いくつかのメタデータまたはプロファイルデータが、移動体デバイス１０２上で処理される。しかしながら、他の実施形態は、単一のイベントマッチングモジュール１３２またはマッチングサービス１３４を備えていてもよいことを認識すべきである。１つの実施形態では、いくつかの移動体デバイス１０２（例えば、より高性能な処理を有するデバイス）は、イベントマッチングモジュール１３２を備えていてもよい一方で、（例えば、処理能力が低い）他のデバイス１０２は、配布システム１１０のマッチングモジュールに依存していてもよい。
【００１７】
移動体デバイス１０２はまた、コンテンツアイテム通信リンク１０８を通して受信したマルチメディアコンテンツアイテムをレンダリングするように構成されているレンダリングモジュール１２２を備えていてもよい。レンダリングモジュール１２２は、アナログおよび／またはデジタル技術を含んでいてもよい。レンダリングモジュール１２２は、ＭＰＥＧ−ｘおよびＨ．２６ｘ標準規格のような国際標準規格に基づいたエンコーディング／デコーディング方法を使用しているビデオエンコーダ／デコーダのような、１つ以上のマルチメディア信号処理システムを備えていてもよい。このようなエンコーディング／デコーディング方法は、一般的に、送信および／または記憶のために、マルチメッセージデータを圧縮することに向けられている。
【００１８】
図２は、図１に図示したような移動体デバイス１０２のうちの１つの例を図示しているブロック図である。デバイス１０２は、メモリ２０４と通信するプロセッサ２０２と、番組通信リンク１０８を通して通信するネットワークインターフェース２０８とを備えている。ネットワークインターフェース２０８は、単方向番組通信リンク１０８を受信するように構成されている受信機２２４を備えている。ネットワークインターフェース２０８および受信機２２４は、ワイヤード技術および／またはワイヤレス技術にしたがって信号を受信してもよい。ワイヤード技術は、イーサネット（登録商標）や、電話機（例えば、ＰＯＴＳ）や、ケーブルや、電力線や、ファイバ光システムを含み、ならびに／あるいは、ワイヤレス技術は、コード分割多元接続（ＣＤＭＡまたはＣＤＭＡ２０００）通信システム、周波数分割多元接続（ＦＤＭＡ）システム、ＧＳＭ／ＧＰＲＳ（一般パケット無線サービス）／ＥＤＧＥ（拡張データＧＳＭ環境）のような時間分割多元接続（ＴＤＭＡ）システム、ＴＥＴＲＡ（地上基幹無線）移動体電話機システム、広帯域コード分割多元接続（ＷＣＤＭＡ）システム、高データレート（１ｘＥＶ−ＤＯまたは１ｘＥＶ−ＤＯゴールドマルチキャスト）システム、ＩＥＥＥ８０２．１１システム、メディアＦＬＯシステム、ＤＭＢシステム、直交周波数分割多元接続（ＯＦＤＭ）システム、またはＤＶＢ−Ｈシステムのうちの１つ以上を含む。
【００１９】
移動体デバイス１０２は、第２の双方向通信リンク１０６を通して通信するオプション的な第２のネットワークインターフェース２０６を備えていてもよい。例示的なデバイス１０２が、第２の通信リンク１０６を通して１つ以上のデバイスと通信できるように、ネットワークインターフェース２０６は、（示していない）何らかの適切なアンテナと、受信機２２０と、送信機２２２とを備えていてもよく、オプション的に、ネットワークインターフェース２０６はまた、プロセッサ２０２の処理要件を減少させる処理能力を持っていてもよい。
【００２０】
デバイス１０２はまた、ディスプレイ２１０、キー、タッチスクリーン、または他の適切な触知性入力デバイスのようなユーザ入力デバイス２１２、通信リンク１０６を通して受信した信号に基づいて可聴出力を提供するように適合されているトランデューサを持つラウドスピーカ２１４、および／または通信リンク１０６および１０８のうちの一方または双方を通して送信されるかもしれない信号の可聴入力を提供するように適合されているトランデューサを持つマイクロフォン２１６のうちの１つ以上を備えていてもよい。１つの実施形態では、入力デバイス２１２は、デバイスの動きを検出するように構成されている加速度計または他のデバイスを備えている。
【００２１】
デバイス１０２は、デバイス１０２の１つ以上のコンポーネントに電力を提供するためのバッテリ２３１をオプション的に備えていてもよい。デバイス１０２は、移動体ハンドセット、パーソナルデジタルアシスタント、ラップトップコンピュータ、ヘッドセット、ビークルハンズフリーデバイス、または他の何らかの電子デバイスのうちの少なくとも１つを含んでいてもよい。例えば、ここで教示した１つ以上の態様は、電話機（例えば、セルラ電話機）、パーソナルデータアシスタント（「ＰＤＡ」）、エンターテイメントデバイス（例えば、音楽またはビデオデバイス）、ヘッドセット（例えば、ヘッドフォン、イヤホン等)、マイクロフォン、または他の何らかの適切なデバイスに組み込まれてもよい。
【００２２】
デバイス１０２は、さまざまな方法で実現されてもよい。図２を参照すると、デバイスまたは装置１０２は、例えば、プロセッサ２０２、ソフトウェア、またはこれらの何らかの組み合わせで、あるいは、ここで教示したような他の何らかの方法で実現される機能を表す一連の相関のある機能ブロックとして表されている。例えば、プロセッサ２０２は、入力デバイス２１２通して、ユーザ入力を促してもよい。さらに、送信機２２２は、別のデバイス１０２への送信情報に関連するさまざまな機能性を提供する送信用プロセッサを備えていてもよい。受信機２２０は、別のデバイス１０２からの受信情報に関連するさまざまな機能性を提供するプロセッサをさらに備えていてもよい。
【００２３】
デバイス１０２は、通信リンク１０６および１０８のうちの一方または双方から同時にデータを受信するように構成されていてもよい。例えば、ブロードバンド単方向インターフェース２０８が番組通信リンク１０８を通して受信しているのと同時に、プロセッサ２０２は、双方向ネットワークインターフェース２０６の受信および送信機能を実行することができないかもしれない。したがって、例えば、１つの実施形態では、信号、例えば電話通話が、通信リンク１０６を通して受け取られたとき、番組通信リンク１０８を通しての番組のブロードキャストの受信または表示を中止してもよい。
【００２４】
デバイス１０２は、図２を参照して説明した機能およびコンポーネントの何らかの適切な組み合わせを使用して実現されてもよい。デバイス１０２の１つの例では、デバイス１０２は、１つ以上の集積回路を備えていてもよい。したがって、このような集積回路は、図２に図示したプロセッサ２０２の機能性を提供する１つ以上のプロセッサを備えていてもよい。集積回路は、図示したプロセッサコンポーネントの機能性のいくつかまたはすべてを実現する他のタイプのコンポーネントを備えていてもよい。さらに、１つ以上のプロセッサが、図示したプロセッサコンポーネントの機能性を実現してもよい。
【００２５】
図３は、移動体デバイス１０２の特定のユーザにとって関心のあるイベントを選択するために、移動体デバイス１０２のディスプレイ２１０上に表示されるユーザインターフェース３００の例を図示している。１つの実施形態では、ユーザインターフェース３００によって、デバイス１０２のユーザは、移動体デバイス１０２のプロファイルデータベース１２８のユーザプロファイルを編集することができる。別の実施形態では、ユーザインターフェース３００によって、デバイス１０２のユーザが、配布システム１００のプロファイルデータベース１３０のユーザプロファイルを編集することができる。例示的なインターフェース３００は、ユーザが、追加するためにユーザのプロファイルから選択（または取り消すために選択解除）するかもしれないイベントの階層を図示している。ユーザは、「ニュース」または「スポーツ」のような高レベルなイベントを選択でき、それにより、例えば、このようなイベントを規定しているメタデータが受信されたときいつでも、ユーザのデバイス１０２が、このようなコンテンツに同調する。ビューアーにとって関心のあるコンテンツアイテムによりうまく焦点をあてるために、「実況イベント」、「レポート」、または「気象」のような、「ニュース」イベントのようなイベントのサブカテゴリーが選択されてもよい。「著名人」のようなより詳細なサブカテゴリーは、特定の著名人を選択するために、（示していない）テキストエントリボックスまたはサブメニューをさらに含んでいてもよい。したがって、ユーザは、「トーマスジェファーソン」のような１つ以上の名前を入力または選択して、トーマスジェファーソンに関連するニュースレポートが通知されてもよい。イベントの他のカテゴリーはまた、ファイルデータと関係を持っていてもよく、例えば、「気象」カテゴリーが、郵便番号、または、ユーザにとって関心のある領域に関係していてもよい。ユーザインターフェース３００からの情報、または、過去に見られたデータのようなユーザプロファイル情報の他のソースからの情報が、何らかの適切なフォーマットまたはデータ構造で、ユーザプロファイルデータベース１２８または１３０中に記憶されてもよい。例えば、イベントは、メタデータサービス１２７によって提供されたメタデータとマッチングさせることができる特定のカテゴリーのテキストを示すテキストまたは他のデータとして、ユーザプロファイル中に記憶されてもよい。
【００２６】
図４は、例示的なシステム１００におけるような、ユーザプロファイルにマッチングしたイベントを持つコンテンツアイテムの少なくとも一部を受信する方法４００の例を図示しているフローチャートである。方法４００は、ブロック４０２で始まり、ブロック４０２では、移動体デバイス１０２のプロセッサ２０２が、ブロードキャストコンテンツ中のイベントを規定するメタデータで識別されたブロードキャストコンテンツを受信する。
【００２７】
ブロック４０４に移行すると、プロセッサ２０２は、ユーザに関係するイベント基準を満たす少なくとも１つのイベントメタデータを含むコンテンツアイテムのブロードキャストを識別する。１つの実施形態では、プロセッサ２０２は、イベントマッチングモジュール１３２を通して、移動体デバイス１０２のユーザのプロファイルデータベース１２８からのユーザプロファイルデータとメタデータとを比較または処理することによって、ブロードキャストを識別する。次に、ブロック４０６において、プロセッサ２０２は、ブロードキャストの特定部分の受信時に、受信機を、例えば、受信機２２４または受信機２２２を、ブロードキャストに同調させる。１つの実施形態では、ブロードキャストの特定部分より前にメタデータは受信されるかもしれないので、プロセッサ２０２は、コンテンツアイテムの特定部分がブロードキャストされるまで、受信機を同調させることを待つかもしれない。
【００２８】
ブロック４０８に進むと、プロセッサ２０２は、表示のために、少なくとも、受信したブロードキャストの特定部分を出力してもよい。１つの実施形態では、レンダリングモジュール１２２が、ブロードキャストの出力部分を受け取り、デコードし、ブロードキャストコンテンツを移動体デバイス１０２のディスプレイ２１０および／またはラウドスピーカ２１４にレンダリングする。
【００２９】
１つの実施形態では、移動体デバイス１０２は、コンテンツをレンダリングする一方で、ユーザ入力に基づいてブロードキャストのコンテンツの表示を中止するために、移動体デバイスのユーザに対してユーザインターフェースを提供するかもしれない。１つの実施形態では、移動体デバイス１０２は、特定の時間期間に対して、ブロードキャストコンテンツをレンダリングし、その間に、ユーザは、コンテンツのレンダリングの継続を望むことや、入力デバイス２１２を通してのようなユーザ入力の欠如に基づいて中止を望むことを確認するかもしれない。したがって、移動体デバイス１０２は、受信時に、コンテンツを自動的にレンダリングすることは可能であるが、ブロードキャストにユーザが関心を表さないときに節電するために、（デバイス１０２が、ユーザに対して至近距離に存在しない、さもなければ使用されていない場合に生じ得るような）レンダリングを継続するためのフィードバックをユーザが提供しない場合には、レンダリングすることを中止するだろう。
【００３０】
実施形態に基づいて、ここで記述した方法の任意のもののいくつかの動作またはイベントは、異なるシーケンスで実行でき、追加しても、まとめて組み合わせても、または省略してもよい（例えば、記述した動作またはイベントすべてが、必ずしも、方法の実施のために必要であるわけではない）ことを認識すべきである。さらに、いくつかの実施形態では、動作またはイベントは、例えば、マルチスレッド処理、割込処理、または、複数のプロセッサによって、シーケンシャルというよりむしろ、同時に実行されるかもしれない。
【００３１】
１つの実施形態では、例えば、プロファイルデータベース１３０および／またはイベントマッチングサービス１３４で具現化されているように、配布システム１００は、方法４００に関係する動作のうちのいくつか、または、すべてを実行してもよい。
【００３２】
例えば、図５は、例示的なシステム１００において行われるような、ユーザプロファイルにマッチングしたイベントを持つコンテンツアイテムの少なくとも一部にアクセスする方法５００の例を図示しているフローチャートである。特に、方法５００は、ブロック５０２で始まり、ブロック５０２では、配布システム１１０のメタデータサービス１２７が、イベントマッチングサービス１３４によって受信された複数のブロードキャストのうちの１つの少なくとも一部で識別されたメタデータを提供する。
【００３３】
次に、ブロック５０４では、イベントマッチングサービス１３４が、ブロードキャストコンテンツの一部で識別されたメタデータに基づいて、ユーザのプロファイルに関係するイベント基準を満たす少なくとも１つのイベントメタデータをその一部が含むか否かを決定する。ブロック５０６に進むと、イベントマッチングサービス１３４は、ブロードキャストの一部の受信のために、ブロードキャストに同調するようにユーザの特定の移動体デバイス１０２の受信機に命令する。イベントマッチングサービス１３４は、通信リンク１０６および１０８のうちの一方または双方を通して、命令を通信してもよい。１つの実施形態では、マッチングサービス１３４は、移動体デバイス１０２上での再生のために、受信したコンテンツが利用可能であるとの通知を提供するように移動体デバイス１０２にさらに命令してもよい。
【００３４】
上記の観点から、開示は、ユーザが所望のコンテンツを受信することを可能にする方法を扱ったものであることを、人は正しく認識するだろう。例えば、図示した態様は、移動体デバイスを、ユーザにとって関心のあるコンテンツの特定部分に自動的に同調させる方法および装置を提供してもよい。１つの実施形態では、このような部分は、ブロードキャスト中に識別されるコンテンツイベントを含む。１つの実施形態では、コンテンツに関連して提供されたメタデータに基づいて識別され、そして、実況コンテンツに、あるいは、電子ガイドデータによって完全または非常に詳細に記述されていないコンテンツに基づいているかもしれないコンテンツイベントをこの部分は含んでいる。
【００３５】
ここで開示した態様に関連して記述した、何らかの例示的な論理ブロック、モジュール、回路、およびアルゴリズムステップが、電子ハードウェア、コンピュータソフトウェア、または両方のものを組み合わせたものとして実現されてもよいことを、当業者は認識するだろう。ハードウェアおよびソフトウェアのこの互換性を明確に図示するために、さまざまな例示的なコンポーネント、ブロック、モジュール、回路、およびステップは、一般的に、これらの機能性の観点から、先に記述した。この機能性が、ハードウェアまたはソフトウェアとして実現されるか否かは、システム全体に課せられている特定のアプリケーションおよび設計制約に依存する。熟練者が、それぞれの特定のアプリケーションの方法を変えて、記述した機能性を実現するかもしれないが、このようなインプリメンテーションの決定は、本開示の範囲から逸脱を生じさせるとして解釈されるべきでない。
【００３６】
例えば、ここで開示した様態に関連して記述した、何らかの例示的な論理ブロック、モジュール、および回路は、集積回路（「ＩＣ」）、アクセス端末、またはアクセスポイント内で実現されても、あるいは、集積回路（「ＩＣ」）、アクセス端末、またはアクセスポイントによって実行されてもよい。ＩＣは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、電気コンポーネント、光コンポーネント、機械コンポーネント、あるいは、ここで記述した機能を実行するように設計されているこれらの任意の組み合わせを含んでいてもよく、ＩＣ内に存在する、ＩＣの外に存在する、または双方に存在するコードまたは命令を実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、例えば、ＤＳＰとマイクロプロセッサとを組み合わせたもののような、コンピューティングデバイスを組み合わせたものとして、複数のマイクロプロセッサとして、ＤＳＰコアに関連した１つ以上のマイクロプロセッサとして、あるいは、このような他の何らかの構成として実現されてもよい。
【００３７】
ここでの開示した態様に関連して記述した方法またはアルゴリズムのステップは、ハードウェアで、プロセッサにより実行されるソフトウェアモジュールで、あるいは、２つのものを組み合わせたもので直接的に具現化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている他の何らかの形態の記憶媒体中に存在していてもよい。例示的な記憶媒体は、プロセッサが記憶媒体から情報（例えば、コード）を読み取ったり、記憶媒体に情報（例えば、コード）を書き込んだりできるように、プロセッサに結合されている。代替実施形態では、記憶媒体は、プロセッサに不可欠であるかもしれない。プロセッサおよび記憶媒体は、ＡＳＩＣ中に存在していてもよい。ＡＳＩＣは、ユーザ端末中に存在していてもよい。代替実施形態で、プロセッサおよび記憶媒体は、ディスクリートコンポーネントとしてユーザ端末中に存在していてもよい。
【００３８】
先の詳細な説明は、さまざまな態様に適用されるとして、本発明の新規な特徴を示し、記述し、指摘したが、本開示の範囲を逸脱せずに、図示したデバイスまたはプロセスの形態および詳細のさまざまな省略、置換、変更が当業者によって行われることが理解されるだろう。認識されるように、いくつかの特徴が、他のものとは別々に使用または実施されてもよいように、本発明は、ここで述べた特徴および利益のすべてを提供しない形態内で具現化されてもよい。本開示の範囲は、特許請求の範囲、先述の詳細な説明、または双方によって規定されている。特許請求の範囲の同等の意味および範囲内に入るすべての変更は、特許請求の範囲内に含まれるべきである。
【図１】
2011517877.tif 000003
【図２】
2011517877.tif 000004
【図３】
2011517877.tif 000005
【図４】
2011517877.tif 000006
【図５】
2011517877.tif 000007
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
移動体デバイス上でマルチメディアデータを受信する方法において、
ブロードキャストコンテンツを受信することと、
ユーザに関係するイベント基準を満たす少なくとも１つのイベントメタデータを含むブロードキャストを識別することと、
前記少なくとも１つのイベントメタデータに対応する前記ブロードキャストの特定部分の受信時に、前記移動体デバイスの受信機を前記ブロードキャストに同調させることと、
前記同調させることに応答して、少なくとも、前記受信したブロードキャストの前記特定部分をレンダリングすることとを含み、
前記ブロードキャストコンテンツは、前記ブロードキャストコンテンツ中のイベントを規定するメタデータで識別され、
前記少なくとも１つのイベントメタデータは、前記ブロードキャスト中のコンテンツアイテムの前記特定部分におけるイベントを示す方法。
【請求項２】
イベントを規定する前記メタデータを受信することをさらに含む請求項１記載の方法。
【請求項３】
前記受信することは、前記ブロードキャストコンテンツのブロードキャスト中に実行される請求項２記載の方法。
【請求項４】
前記ブロードキャストを識別することは、前記受信したメタデータを、前記ユーザのプロファイルと比較することを含み、
前記プロファイルは、前記イベント基準を含む請求項２記載の方法。
【請求項５】
前記メタデータを受信することは、前記移動体デバイス上で前記メタデータを受信することを含み、前記識別することは、前記移動体デバイスによって実行される請求項１記載の方法。
【請求項６】
前記メタデータを受信することは、前記メタデータをサーバ上で受信することを含み、前記比較することは、前記サーバによって実行される請求項４記載の方法。
【請求項７】
前記メタデータは、前記コンテンツの前記特定部分に関係する少なくとも１つのカテゴリーを含む請求項１記載の方法。
【請求項８】
前記ブロードキャストをレンダリングすることを続けるか否かを示すユーザ入力を受け取ることをさらに含む請求項１記載の方法。
【請求項９】
前記ユーザ入力に基づいて、前記コンテンツのレンダリングを中止することをさらに含む請求項８記載の方法。
【請求項１０】
前記ユーザ入力を受け取ることは、前記移動体デバイスの動きを感知することを含む請求項８記載の方法。
【請求項１１】
前記ユーザ入力を受け取ることは、タッチスクリーン対話またはキー押下のうちの少なくとも１つを受け取ることを含む請求項８記載の方法。
【請求項１２】
ユーザ入力の欠如に基づいて、前記コンテンツの前記レンダリングを中止することをさらに含む請求項１記載の方法。
【請求項１３】
前記ユーザ入力の欠如に基づいて、コンテンツのレンダリングを中止することは、選択された時間期間内でのユーザ入力の欠如に基づいている請求項１２記載の方法。
【請求項１４】
前記受信したコンテンツをレンダリングすることは、前記受信したコンテンツを再生することを含む請求項１記載の方法。
【請求項１５】
前記受信したコンテンツを再生することは、
前記受信したコンテンツをデコードすることと、
ディスプレイおよびスピーカのうちの少なくとも１つを通して、前記デコードしたコンテンツを出力することとを含む請求項１４記載の方法。
【請求項１６】
前記移動体デバイスに電気的に取り付けられている記憶装置に対して、前記受信したコンテンツを出力することをさらに含む請求項１記載の方法。
【請求項１７】
前記移動体デバイスで上での再生のために、前記受信したコンテンツが利用可能であるとの通知を提供することをさらに含む請求項１６記載の方法。
【請求項１８】
前記通知は、情報を表示することと、サウンドを出力することとのうちの少なくとも１つを含む請求項１７記載の方法。
【請求項１９】
移動体デバイス上でのマルチメディアデータの受信をアクティブ化する方法において、
複数のブロードキャストのうちの１つのコンテンツアイテムの少なくとも一部で識別されたメタデータを受信することと、
ユーザのプロファイルに関係するイベント基準を満たす少なくとも１つのイベントメタデータをブロードキャストコンテンツの一部が含むか否かを、前記ブロードキャストコンテンツの一部で識別された前記メタデータに基づいて決定することと、
前記ブロードキャストの一部の受信のために、前記ブロードキャストに同調するように前記ユーザの移動体デバイスの受信機に命令し、前記同調に応答して、前記ブロードキャストの一部をレンダリングすることとを含み、
前記イベントメタデータは、ブロードキャスト中のコンテンツアイテムの対応部分におけるイベントを示す方法。
【請求項２０】
前記受信すること、および、前記決定することは、前記ブロードキャストコンテンツの前記ブロードキャスト中に実行される請求項１９記載の方法。
【請求項２１】
前記決定することは、前記メタデータを、前記ユーザのプロファイルに関係する前記イベント基準と比較することを含む請求項１９記載の方法。
【請求項２２】
前記移動体デバイス上での再生のために、前記受信したコンテンツが利用可能であるとの通知を提供するように前記移動体デバイスに命令することをさらに含む請求項１９記載の方法。
【請求項２３】
前記メタデータは、前記コンテンツの一部に関係する少なくとも１つのカテゴリーを含む請求項１９記載の方法。
【請求項２４】
ユーザプロファイルのデータベースからの、前記ユーザのプロファイルにアクセスすることをさらに含む請求項２３記載の方法。
【請求項２５】
コンテンツアイテムにアクセスするためのデバイスにおいて、
ブロードキャストコンテンツを受信するように構成されている受信機と、
マルチメディアコンテンツアイテムにアクセスするために、少なくとも１つのプロファイルを記憶するように構成されている記憶装置と、
プロセッサとを具備し、
前記プロセッサは、
ユーザに関係するイベント基準を満たす少なくとも１つのイベントメタデータを含むブロードキャストを識別し、
前記少なくとも１つのイベントメタデータに対応する前記ブロードキャストの特定部分の受信時に、前記受信機を前記ブロードキャストに同調させ、
前記同調に基づいて、少なくとも、前記受信したブロードキャストの前記特定部分をレンダリングするように構成され、
前記ブロードキャストコンテンツは、前記ブロードキャストコンテンツ中のイベントを規定するメタデータで識別され、
前記少なくとも１つのイベントメタデータは、前記ブロードキャスト中のコンテンツアイテムの前記特定部分におけるイベントを示すデバイス。
【請求項２６】
前記受信機は、イベントを規定する前記メタデータを受信するようにさらに構成されている請求項２５記載のデバイス。
【請求項２７】
前記受信機は、前記ブロードキャストコンテンツのブロードキャスト中に、前記メタデータを受信するように構成されている請求項２５記載のデバイス。
【請求項２８】
前記プロセッサは、前記受信したメタデータを、前記ユーザのプロファイルと比較するように構成され、前記プロファイルは、前記イベント基準を含む請求項２７記載のデバイス。
【請求項２９】
前記メタデータは、前記コンテンツの前記特定部分に関係する少なくとも１つのカテゴリーを含む請求項２５記載のデバイス。
【請求項３０】
前記ブロードキャストをレンダリングすることを続けるか否かを示すユーザ入力を受け取るように構成されている少なくとも１つの入力デバイスをさらに具備する請求項２５記載のデバイス。
【請求項３１】
前記プロセッサは、前記ユーザ入力に基づいて、前記コンテンツのレンダリングを中止するように構成されている請求項３０記載のデバイス。
【請求項３２】
前記入力デバイスは、前記デバイスの動きを感知するように構成されている請求項３０記載のデバイス。
【請求項３３】
前記入力デバイスは、タッチスクリーン対話またはキーのうちの少なくとも１つを含む請求項３０記載のデバイス。
【請求項３４】
前記プロセッサは、ユーザ入力の欠如に基づいて、前記コンテンツのレンダリングを中止するようにさらに構成されている請求項２５記載のデバイス。
【請求項３５】
前記プロセッサは、選択された時間期間内でのユーザ入力の欠如に基づいて、前記ユーザ入力の欠如を識別するように構成されている請求項３４記載のデバイス。
【請求項３６】
前記プロセッサは、
前記ブロードキャストの前記特定部分をデコードし、
ディスプレイおよびスピーカのうちの少なくとも１つを通して、前記デコードした部分を出力するようにさらに構成されている請求項２５記載のデバイス。
【請求項３７】
前記プロセッサは、前記記憶装置に対して、前記ブロードキャストの前記特定部分を出力するようにさらに構成され、前記記憶装置は、前記出力部分を記憶するようにさらに構成されている請求項２５記載のデバイス。
【請求項３８】
前記プロセッサは、前記移動体デバイスで上での再生のために、前記記憶した部分が利用可能であるとの通知を提供するように構成されている請求項３７記載のデバイス。
【請求項３９】
前記プロセッサは、情報を表示することと、サウンドを出力することとのうちの少なくとも１つによる通知を提供するように構成されている請求項３８記載のデバイス。
【請求項４０】
コンテンツアイテムにアクセスするデバイスにおいて、
ブロードキャストコンテンツを受信する手段と、
マルチメディアコンテンツアイテムにアクセスするために、少なくとも１つのプロファイルを記憶する手段と、
処理する手段とを具備し、
前記処理する手段は、
ユーザに関係するイベント基準を満たす少なくとも１つのイベントメタデータを含むブロードキャストを識別し、
前記少なくとも１つのイベントメタデータに対応する前記ブロードキャストの特定部分の受信時に、前記受信する手段を前記ブロードキャストに同調させ、
前記同調に応答して、少なくとも、前記受信したブロードキャストの前記特定部分をレンダリングするように構成され、
前記ブロードキャストコンテンツは、前記ブロードキャストコンテンツ中のイベントを規定するメタデータで識別され、
前記少なくとも１つのイベントメタデータは、前記ブロードキャスト中のコンテンツアイテムの特定部分におけるイベントを示すデバイス。
【請求項４１】
前記ブロードキャストの前記部分をレンダリングする手段をさらに具備する請求項４０記載のデバイス。
【請求項４２】
コンピュータプログラムプロダクトにおいて、
ブロードキャストコンテンツを受信するために、移動体デバイスの少なくとも１つのプロセッサによって実行可能なコードと、
ユーザに関係するイベント基準を満たす少なくとも１つのイベントメタデータを含むブロードキャストを識別するために、移動体デバイスの少なくとも１つのプロセッサによって実行可能なコードと、
前記少なくとも１つのイベントメタデータに対応する前記ブロードキャストの特定部分の受信時に、前記移動体デバイスの受信機を前記ブロードキャストに同調させるために、移動体デバイスの少なくとも１つのプロセッサによって実行可能なコードと、
前記同調に応答して、少なくとも、前記受信したブロードキャストの前記特定部分をレンダリングするために、移動体デバイスの少なくとも１つのプロセッサによって実行可能なコードとを含むコンピュータ読み取り可能媒体を含み、
前記ブロードキャストコンテンツは、前記ブロードキャストコンテンツ中のイベントを規定するメタデータで識別され、
前記少なくとも１つのイベントメタデータは、前記ブロードキャスト中のコンテンツアイテムの特定部分におけるイベントを示すコンピュータプログラムプロダクト。
【請求項４３】
コンピュータプログラムプロダクトにおいて、
複数のブロードキャストのうちの１つのコンテンツアイテムの少なくとも一部で識別されたメタデータを受信するために、移動体デバイスの少なくとも１つのプロセッサによって実行可能なコードと、
ユーザのプロファイルに関係するイベント基準を満たす少なくとも１つのイベントメタデータをブロードキャストコンテンツの一部が含むか否かを、前記ブロードキャストコンテンツの一部で識別された前記メタデータに基づいて決定するために、移動体デバイスの少なくとも１つのプロセッサによって実行可能なコードと、
前記ブロードキャストの一部の受信のために、前記ブロードキャストに同調するように前記ユーザの移動体デバイスの受信機に命令し、前記同調に応答して、前記ブロードキャストの前記一部をレンダリングするために、移動体デバイスの少なくとも１つのプロセッサによって実行可能なコードとを含むコンピュータ読み取り可能媒体を含み、
前記イベントメタデータは、ブロードキャスト中のコンテンツアイテムの対応する一部におけるイベントを示すコンピュータプログラムプロダクト。
【手続補正２】
【補正対象書類名】明細書
【補正対象項目名】００３８
【補正方法】変更
【補正の内容】
【００３８】
先の詳細な説明は、さまざまな態様に適用されるとして、本発明の新規な特徴を示し、記述し、指摘したが、本開示の範囲を逸脱せずに、図示したデバイスまたはプロセスの形態および詳細のさまざまな省略、置換、変更が当業者によって行われることが理解されるだろう。認識されるように、いくつかの特徴が、他のものとは別々に使用または実施されてもよいように、本発明は、ここで述べた特徴および利益のすべてを提供しない形態内で具現化されてもよい。本開示の範囲は、特許請求の範囲、先述の詳細な説明、または双方によって規定されている。特許請求の範囲の同等の意味および範囲内に入るすべての変更は、特許請求の範囲内に含まれるべきである。
以下に、本願出願当初の特許請求の範囲に記載された発明を付記する。
〔１〕移動体デバイス上でマルチメディアデータを受信する方法において、
ブロードキャストコンテンツを受信することと、
ユーザに関係するイベント基準を満たす少なくとも１つのイベントメタデータを含む、コンテンツアイテムのブロードキャストを識別することと、
前記少なくとも１つのイベントメタデータを含む前記ブロードキャストの特定部分の受信時に、前記移動体デバイスの受信機を前記ブロードキャストに同調させることと、
少なくとも、前記受信したブロードキャストの前記特定部分を出力することとを含み、
前記ブロードキャストコンテンツは、前記ブロードキャストコンテンツ中のイベントを規定するメタデータで識別される方法。
〔２〕イベントを規定する前記メタデータを受信することをさらに含む〔１〕記載の方法。
〔３〕前記受信することは、前記ブロードキャストコンテンツのブロードキャスト中に実行される〔２〕記載の方法。
〔４〕前記ブロードキャストを識別することは、前記受信したメタデータを、前記ユーザのプロファイルと比較することを含み、
前記プロファイルは、前記イベント基準を含む〔２〕記載の方法。
〔５〕前記メタデータを受信することは、前記移動体デバイス上で前記メタデータを受信することを含み、前記識別することは、前記移動体デバイスによって実行される〔１〕記載の方法。
〔６〕前記メタデータを受信することは、前記メタデータをサーバ上で受信することを含み、前記比較することは、前記サーバによって実行される〔４〕記載の方法。
〔７〕前記メタデータは、前記コンテンツの前記特定部分に関係する少なくとも１つのカテゴリーを含む〔１〕記載の方法。
〔８〕前記ブロードキャストを出力することを続けるか否かを示すユーザ入力を受け取ることをさらに含む〔１〕記載の方法。
〔９〕前記ユーザ入力に基づいて、前記コンテンツの出力を中止することをさらに含む〔８〕記載の方法。
〔１０〕前記ユーザ入力を受け取ることは、前記移動体デバイスの動きを感知することを含む〔８〕記載の方法。
〔１１〕前記ユーザ入力を受け取ることは、タッチスクリーン対話またはキー押下のうちの少なくとも１つを受け取ることを含む〔８〕記載の方法。
〔１２〕ユーザ入力の欠如に基づいて、前記コンテンツの前記出力を中止することをさらに含む〔１〕記載の方法。
〔１３〕前記ユーザ入力の欠如に基づいて、コンテンツの出力を中止することは、選択された時間期間内でのユーザ入力の欠如に基づいている〔１２〕記載の方法。
〔１４〕前記受信したコンテンツを出力することは、前記受信したコンテンツを再生することを含む〔１〕記載の方法。
〔１５〕前記受信したコンテンツを再生することは、
前記受信したコンテンツをデコードすることと、
ディスプレイおよびスピーカのうちの少なくとも１つを通して、前記デコードしたコンテンツを出力することとを含む〔１４〕記載の方法。
〔１６〕前記受信したコンテンツを出力することは、前記移動体デバイスに電気的に取り付けられている記憶装置に対して、前記受信したコンテンツを出力することを含む〔１〕記載の方法。
〔１７〕前記移動体デバイスで上での再生のために、前記受信したコンテンツが利用可能であるとの通知を提供することをさらに含む〔１６〕記載の方法。
〔１８〕前記通知は、情報を表示することと、サウンドを出力することとのうちの少なくとも１つを含む〔１７〕記載の方法。
〔１９〕移動体デバイス上でのマルチメディアデータの受信をアクティブ化する方法において、
複数のブロードキャストのうちの１つの少なくとも一部で識別されたメタデータを受信することと、
ユーザのプロファイルに関係するイベント基準を満たす少なくとも１つのイベントメタデータをその一部が含むか否かを、前記ブロードキャストコンテンツの一部で識別された前記メタデータに基づいて決定することと、
前記ブロードキャストの一部の受信のために、前記ブロードキャストに同調するように前記ユーザの移動体デバイスの受信機に命令することとを含む方法。
〔２０〕前記受信すること、および、前記決定することは、前記ブロードキャストコンテンツの前記ブロードキャスト中に実行される〔１９〕記載の方法。
〔２１〕前記決定することは、前記メタデータを、前記ユーザのプロファイルに関係する前記イベント基準と比較することを含む〔１９〕記載の方法。
〔２２〕前記移動体デバイス上での再生のために、前記受信したコンテンツが利用可能であるとの通知を提供するように前記移動体デバイスに命令することをさらに含む〔１９〕記載の方法。
〔２３〕前記メタデータは、前記コンテンツの一部に関係する少なくとも１つのカテゴリーを含む〔１９〕記載の方法。
〔２４〕ユーザプロファイルのデータベースからの、前記ユーザのプロファイルにアクセスすることをさらに含む〔２３〕記載の方法。
〔２５〕コンテンツアイテムにアクセスするためのデバイスにおいて、
ブロードキャストコンテンツを受信するように構成されている受信機と、
マルチメディアコンテンツアイテムにアクセスするために、少なくとも１つのプロファイルを記憶するように構成されている記憶装置と、
プロセッサとを具備し、
前記プロセッサは、
ユーザに関係するイベント基準を満たす少なくとも１つのイベントメタデータを含む、コンテンツアイテムのブロードキャストを識別し、
前記少なくとも１つのイベントメタデータを含む前記ブロードキャストの特定部分の受信時に、前記受信機を前記ブロードキャストに同調させ、
少なくとも、前記受信したブロードキャストの前記特定部分を出力するように構成され、
前記ブロードキャストコンテンツは、前記ブロードキャストコンテンツ中のイベントを規定するメタデータで識別されるデバイス。
〔２６〕前記受信機は、イベントを規定する前記メタデータを受信するようにさらに構成されている〔２５〕記載のデバイス。
〔２７〕前記受信機は、前記ブロードキャストコンテンツのブロードキャスト中に、前記メタデータを受信するように構成されている〔２５〕記載のデバイス。
〔２８〕前記プロセッサは、前記受信したメタデータを、前記ユーザのプロファイルと比較するように構成され、前記プロファイルは、前記イベント基準を含む〔２７〕記載のデバイス。
〔２９〕前記メタデータは、前記コンテンツの前記特定部分に関係する少なくとも１つのカテゴリーを含む〔２５〕記載のデバイス。
〔３０〕前記ブロードキャストを出力することを続けるか否かを示すユーザ入力を受け取るように構成されている少なくとも１つの入力デバイスをさらに具備する〔２５〕記載のデバイス。
〔３１〕前記プロセッサは、前記ユーザ入力に基づいて、前記コンテンツの出力を中止するように構成されている〔３０〕記載のデバイス。
〔３２〕前記入力デバイスは、前記デバイスの動きを感知するように構成されている〔３０〕記載のデバイス。
〔３３〕前記入力デバイスは、タッチスクリーン対話またはキーのうちの少なくとも１つを含む〔３０〕記載のデバイス。
〔３４〕前記プロセッサは、ユーザ入力の欠如に基づいて、前記コンテンツの出力を中止するようにさらに構成されている〔２５〕記載のデバイス。
〔３５〕前記プロセッサは、選択された時間期間内でのユーザ入力の欠如に基づいて、前記ユーザ入力の欠如を識別するように構成されている〔３４〕記載のデバイス。
〔３６〕前記プロセッサは、
前記ブロードキャストの前記特定部分をデコードし、
ディスプレイおよびスピーカのうちの少なくとも１つを通して、前記デコードした部分を出力するようにさらに構成されている〔２５〕記載のデバイス。
〔３７〕前記プロセッサは、前記記憶装置に対して、前記ブロードキャストの前記特定部分を出力するように構成され、前記記憶装置は、前記出力部分を記憶するようにさらに構成されている〔２５〕記載のデバイス。
〔３８〕前記プロセッサは、前記移動体デバイスで上での再生のために、前記記憶した部分が利用可能であるとの通知を提供するように構成されている〔３７〕記載のデバイス。
〔３９〕前記プロセッサは、情報を表示することと、サウンドを出力することとのうちの少なくとも１つによる通知を提供するように構成されている〔３８〕記載のデバイス。
〔４０〕コンテンツアイテムにアクセスするデバイスにおいて、
ブロードキャストコンテンツを受信する手段と、
マルチメディアコンテンツアイテムにアクセスするために、少なくとも１つのプロファイルを記憶する手段と、
処理する手段とを具備し、
前記処理する手段は、
ユーザに関係するイベント基準を満たす少なくとも１つのイベントメタデータを含む、コンテンツアイテムのブロードキャストを識別し、
前記少なくとも１つのイベントメタデータを含む前記ブロードキャストの特定部分の受信時に、前記受信する手段を前記ブロードキャストに同調させ、
少なくとも、前記受信したブロードキャストの前記特定部分を出力するように構成され、
前記ブロードキャストコンテンツは、前記ブロードキャストコンテンツ中のイベントを規定するメタデータで識別されるデバイス。
〔４１〕前記ブロードキャストの前記出力部分をレンダリングする手段をさらに具備する〔４０〕記載のデバイス。
〔４２〕コンピュータプログラムプロダクトにおいて、
ブロードキャストコンテンツを受信するために、移動体デバイスの少なくとも１つのプロセッサによって実行可能なコードと、
ユーザに関係するイベント基準を満たす少なくとも１つのイベントメタデータを含む、コンテンツアイテムのブロードキャストを識別するために、移動体デバイスの少なくとも１つのプロセッサによって実行可能なコードと、
前記少なくとも１つのイベントメタデータを含む前記ブロードキャストの特定部分の受信時に、前記移動体デバイスの受信機を前記ブロードキャストに同調させるために、移動体デバイスの少なくとも１つのプロセッサによって実行可能なコードと、
少なくとも、前記受信したブロードキャストの前記特定部分を出力するために、移動体デバイスの少なくとも１つのプロセッサによって実行可能なコードとを含むコンピュータ読み取り可能媒体を含み、
前記ブロードキャストコンテンツは、前記ブロードキャストコンテンツ中のイベントを規定するメタデータで識別されるコンピュータプログラムプロダクト。
〔４３〕コンピュータプログラムプロダクトにおいて、
複数のブロードキャストのうちの１つの少なくとも一部で識別されたメタデータを受信するために、移動体デバイスの少なくとも１つのプロセッサによって実行可能なコードと、
ユーザのプロファイルに関係するイベント基準を満たす少なくとも１つのイベントメタデータをその一部が含むか否かを、前記ブロードキャストコンテンツの一部で識別された前記メタデータに基づいて決定するために、移動体デバイスの少なくとも１つのプロセッサによって実行可能なコードと、
前記ブロードキャストの一部の受信のために、前記ブロードキャストに同調するように前記ユーザの移動体デバイスの受信機に命令するために、移動体デバイスの少なくとも１つのプロセッサによって実行可能なコードとを含むコンピュータ読み取り可能媒体を含むコンピュータプログラムプロダクト。
【国際調査報告】
2011517877.tif 000008
2011517877.tif 000009
2011517877.tif 000010